(57)【特許請求の範囲】
【請求項１】
左右方向に延出する長尺状のスラット本体と該本体の上下端部に夫々形成した係合片からなるスラット複数枚を上下方向に連設して構成したシャッターカーテンにおいて、吊元側に位置する少なくとも一つ以上のスラットのスラット本体の外方面は、該本体の上下端部から互いに対向状に、かつ外方に向かって傾斜状に延出する二つの傾斜面から一体的に形成された突出面で構成されていると共に、巻取時には、既に巻装されたスラットの前記傾斜面が、次に重合巻装されるスラットの係合受部を受けるように構成されていることを特徴とするシャッターカーテン。
【請求項２】
前記突出面を有するスラットは、スラット本体を高さ方向中間部位において外方に屈曲することで形成されていることを特徴とする請求項１に記載されたシャッターカーテン。
【請求項３】
シャッターカーテンを構成する複数のスラットにおいて、前記突出面を備えたスラット以外のスラットは上下方向に鉛直状に延出するフラット状のスラットであることを特徴とする請求項１，２いずれかに記載のシャッターカーテン。
【請求項４】
前記突出面を備えたスラットは、シャッターカーテン巻取時における一巻目を形成する吊元側スラットのうち少なくとも一つのスラットであることを特徴とする請求項１乃至３いずれかに記載のシャッターカーテン。
【発明の詳細な説明】
【０００１】
【発明の属する技術分野】
本発明は、形状に特徴を備えたスラットを有するシャッターカーテに関するものである。
【０００２】
【従来の技術】
表面がフラット状のスラットから形成されたシャッターカーテンを巻き取ろうとすると、図６に示すようになる。すなわち、巻径が小さい一巻目に対して二巻目が形成されるような場合には、二巻目を形成するスラットが両端部において浮いた状態となってしまう。この状態では、該スラットはいわゆるシーソー状態となってしまい、該スラットが高さ方向中間部位の当接部を支点として回動してバタンと倒れ、衝撃的な音が発生したり、スラットに傷が付いたり、あるいはめっきが剥離してしまうという不具合があった。
【０００３】
【発明が解決しようとする課題】
本発明は、吊元側に位置するスラットの形状に特徴を持たせることで、前記課題を解決するものであって、安定した良好な巻取りを行うことで、不快な音の発生やスラットに対する傷付を防止することを目的とするものである。
【０００４】
【課題を解決するための手段】
かかる課題を達成するために本発明が採用した技術手段は、左右方向に延出する長尺状のスラット本体と該本体の上下端部に夫々形成した係合片からなるスラット複数枚を上下方向に連設して構成したシャッターカーテンにおいて、吊元側に位置する少なくとも一つ以上のスラットのスラット本体の外方面は、該本体の上下端部から対向状に外方に向かって傾斜状に延出する二つの傾斜面から一体的に形成された突出面で構成されていると共に、巻取時には、既に巻装されたスラットの前記傾斜面が、次に重合巻装されるスラットの係合受部を受けるように構成されていることを特徴とするものである。
【０００５】
好ましくは、前記突出面を有するスラットは、スラット本体を高さ方向中間部位において外方に屈曲することで形成されていることを特徴とするものである。ここで、請求項１，２における「外方」の意味は、シャッターカーテンが巻回された時に、内側に面する側を内方とし、外側に面する側を外方とすることによるものである。また、係合片は、実施の形態で述べる係合部、係合受部の双方を含む概念である。
【０００６】
シャッターカーテンを構成する複数のスラットにおいて、前記突出面を備えたスラット以外のスラットは上下方向に鉛直状に延出するフラット状のスラットである。また、好ましくは、前記突出面を備えたスラットは、シャッターカーテン巻取時における一巻目を形成する吊元側スラットのうち少なくとも一つ以上のスラットであることを特徴とする。
【０００８】
【発明の実施の形態】
本発明の実施の形態を図面に基づいて説明する。図１は建物開口部に設置されるシャッター装置の正面図および側面図である。図２は巻取シャフトおよびシャッターカーテンの側面図である。シャッター装置は建物開口部上方に設置されたシャッターケース１と、シャッターケース１内に開口部幅方向に延出して内装された巻取シャフト２と、上端が巻取シャフト２に連結されており、開口部開放時には巻取シャフト２に巻装されており、開口部閉鎖時には巻取シャフト２から繰り出されて建物開口部を閉鎖するシャッターカーテン３と、開口部左右端部に立設されており、シャッターカーテン３の左右両端部を案内するガイドレール４とを有している。
【０００９】
シャッターカーテン３は複数のスチール製スラットを上下に連設させて形成されているが、スラットは、巻取シャフト２側から（上方から）、吊元スラット５、二つの吊元側屈曲スラット６、複数のフラットスラット７から構成されている。最下端に位置するフラットスラット７の下端側には座板バー８が連結されており、座板バー８には、上座板９と下座板１０とから構成された障害物検知用座板スイッチＳが設けてある。図１において、符号１１は開閉機である。また、図２において、シャッターカーテン３を挟んで左側が屋内側、右側が屋外側である。
【００１０】
図３は吊元スラット５及び吊元側屈曲スラット６の側面図であり、図４はフラットスラット７の側面図である。吊元側スラット６及びフラットスラット７は共に、上下方向に延出する本体６０，７０と、本体６０，７０の上端部に一体的に形成された係合部６１，７１、本体６０，７０の下端部に一体的に形成された巻状係合受部６２，７２とを備えている。
【００１１】
係合受部６２，７２は、本体６０，７０の下端部より、本体６０，７０との間で隙間を存して、内方斜め上方に向かって延出してなる立ち上り部６２ａ７２ａと、立ち上り部６２ａ，７２ａからさらに弧を描くように湾曲しながら延出する巻状部６２ｂ、７２ｂと、巻状部６２ｂ，７２ｂの端部を立ち上り部６２ａ，７２ａに向かって緩やかに上方に向かって延出してなる傾斜部６２ｃ，７２ｃとを有しており、傾斜部６２ｃ、７２ｃの端縁６２ｄ，７２ｄと立ち上り部６２ｃ，７２ｃとの間には下方に臨む開口部が形成されている。巻状部６２ｂ、７２ｂおよび傾斜部６２ｃ、７２ｃは折り返し部Aよりも下方に突出しないようになっている。
【００１２】
係合受部６２，７２は、立ち上り部６２ａ，７２ａと本体６０，７０との間に間隔Ｓを存するように折り返し形成されているので、例えば、立ち上り部を本体に重合するように（潰しを形成するように）折り返した場合（鋭角の折り返し部という）に比べて、折り返し部Aは丸みを帯びたもの（鈍角の折り返し部という）となっている。鈍角の折り返し部Ａは、鋭角の折り返し部に比べて、めっきの剥離や塗膜剥離が無く、スラットの成形性も良好である。
【００１３】
係合部６１，７１は、本体６０，７０の上端部より緩やかに斜め上方に向かって延出する第一傾斜部６１ａ，７１ａと、第一傾斜部６１ａ，７１ａよりさらに急勾配で斜め上方に延出する第二傾斜部６１ｂ，７１ｂと、第二傾斜部６１ｂ，７１ｂより緩やかに斜め下方に延出する第三傾斜部６１ｃ，７１ｃとからなり、第三傾斜部６１ｃ，７１ｃの延出端部は鈍角に折り返し折曲されており、第四傾斜部６１ｄ，７１ｄが形成されている。第三傾斜部６１ｃ，７１ｃと第四傾斜部６１ｄ，７１ｄの会合部である折り返し部Bは折り返し部Aと同様丸みを帯びている。
【００１４】
上下隣位のスラット同士において、上位のスラットの下端の係合受部６２，７２の内部空間に、下位のスラットの上端の係合部６１，７１を位置することで、両スラットは互いに揺動自在に連結されている。
【００１５】
図３に示すように、吊元側スラット６の本体６０は高さ方向中央部位で外方に向かって緩やかに屈曲されており、傾斜部６０ａ，６０ｂから側面視あるいは断面視において「く」字状に一体的に形成されている。傾斜部６０ａ，６０ｂは、本体６０の上下端部から互いに対向状に外方に向かって傾斜状に延出する二つの傾斜面からなる突出面を形成している。
【００１６】
図５はシャッターカーテンを巻取シャフトに巻き取った状態を示す側面図であって、巻取時において、既に巻装されたスラット６の傾斜部６０ａ，６０ｂが形成する傾斜面が、次に重合巻装されるスラットの係合部あるいは係合受部を良好に安定して受けることができる。よって、一巻目を形成する吊元側スラット６の本体６０をフラットではなく側面視「く」字状の屈曲部材から構成することで、フラット状のスラット７を連設してなるシャッターカーテン３を良好かつ整然と巻き取ることができるようになっている。
【００１７】
該屈曲部材がないと、幾つかのスラットが安定して巻き取られずに、シーソー状に不安定かつ可動な状態で巻き取られてしまう。図示のものでは、屈曲状の吊元側スラット６は二つであるが、屈曲状の吊元側スラット６の個数は二つに限定されるものではない。また、スラット６を設ける部位も適宜選択可能であり、スラット６とフラットスラット７とを交互に連設したり、あるいは二巻目を構成するスラットの少なくとも一つをスラット６から形成したりすることを妨げるものではない。
【００１８】
また、図３、図５に示すように、吊元スラット５の上端側には、吊元スラット５の上端の係合部５ａを隠蔽するようにして、側面視「く」字状の折曲プレート１２が装着されている。図５から明らかなように、巻取状態において、折曲プレート１２は、スラット７の係合片を良好に受けることができるようになっている。
【００１９】
【発明の効果】
本発明が採用したスラットから構成されたシャッターカーテンにおいては、シャッターカーテンを、整然かつ安定した状態で良好に巻き取ることができる。したがって、巻取状態において、スラット同士が擦れて不快音が発生したり、あるいはスラットに傷が付いたりすることがない。
【図面の簡単な説明】
【図１】建物開口部に設置されるシャッター装置の正面図および側面図である。
【図２】 巻取シャフトおよびシャッターカーテンの側面図である。
【図３】吊元及び吊元側スラットの側面図である。
【図４】フラットスラットの側面図である。
【図５】シャッターカーテンを巻取シャフトに巻き取った状態を示す側面図である。
【図６】従来のフラットスラットの巻取状態を示す部分図である。
【符号の説明】
３    シャッターカーテン
６    吊元側スラット
７    スラット
６０  本体
６０ａ，６０ｂ    傾斜部
【図１】
0003718795.tif 000002
【図２】
0003718795.tif 000003
【図３】
0003718795.tif 000004
【図４】
0003718795.tif 000005
【図５】
0003718795.tif 000006
【図６】
0003718795.tif 000007